(57)【特許請求の範囲】
【請求項１】
記録又は再生が可能なディスクを載置するトレイを備えたディスク装置であって、
前記トレイは、前記ディスクが載置される側の載置面と、前記載置面と対向する裏面と、載置したディスクの中心孔に対応する位置に形成された前記載置面と前記裏面とを貫通する貫通孔と、前記載置面に載置する直径が異なる複数種類のディスクに対し平行方向の位置をそれぞれ規制する面方向位置規制部を有する複数のディスクガイドとを備え、
前記面方向位置規制部は、前記複数種類のディスクのうち最小のディスクの面方向を位置規制する前記ディスクガイドの前記貫通孔側の内壁と、前記複数種類のディスクのうち最大径のディスクの面方向を位置規制する前記ディスクガイドに設けた凸部とで構成し、
前記複数のディスクガイドそれぞれは、前記貫通孔の中心軸から放射状に延在し、前記裏面に備える回動軸を介して２分割されると共に、付勢力によって前記最大径のディスクの前記載置面に対し直交方向に位置規制すべく前記載置面側に突出形成し、前記凸部に直交方向に力を印可すると前記回動軸周りに前記２分割されたディスクガイドが前記載置面より前記裏面側に埋没することを特徴とするディスク装置。
【請求項２】
前記凸部は、ディスクを収納するカートリッジ下面に当接し、前記回動軸周りに前記載置面と略同一面まで回動する請求項１に記載のディスク装置。
【請求項３】
前記トレイはガイド部を介して下側トレイにガイドされ、前記最大径のディスクまたは前記カートリッジを前記載置面から取り出す際に、前記載置面に対し持ち上げた状態で固定する突出部材を前記下側トレイに備える請求項１または２に記載のディスク装置。
【発明の詳細な説明】
【０００１】
【発明の属する技術分野】
本発明は、映像用、音楽用、コンピュータ・データ用等の記録媒体であるディスクを用いて情報の記録再生を行うディスク装置に関する。
【０００２】
【従来の技術】
近年、ＶＴＲに用いるテープ・カセットに代わる記録媒体として、ＤＶＤ（digital video disc）が注目を集めている。ＤＶＤは、テープ・カセットに比べコンパクトであり、記録再生における操作性が格段に優れるという利点があり、すでに映像ソフトのパッケージ媒体として、ＤＶＤ-Ｖidoも普及し始めている。
【０００３】
これらＤＶＤのなかでも、記録情報の自由な書き換えが可能で、かつ大容量の情報量を記録できるＤＶＤ-ＲＡＭ（digital video disc-random access memory）の注目が高まっている。これに伴って、ＤＶＤ-ＲＡＭ用のディスク装置の開発も進んでいる。これらディスク装置は、記録再生面が露出した裸状のディスク（以下、「ベアディスク」という。）、ベアディスクをカートリッジに収納したディスクもの（以下、「カートリッジ」という。）の双方をセットでき、これらの記録再生が可能なものがある。
【０００４】
【発明が解決しようとする課題】
しかしながら、前記のような従来のディスク装置では、以下のような問題があった。同一のディスクトレイに直径の異なるベアディスク、又はカートリッジを載置する場合、トレイ上には径方向の位置規制を行うために、トレイ表面に対して凸状のガイド部が必要となる。このような凸状のガイド部にディスクの外周部分が当接することにより、ディスクの水平方向の位置決めが可能になる。
【０００５】
例えば、８ｃｍ、１２ｃｍのベアディスクのいずれもが載置できるベアディスクであれば、８ｃｍ用、１２ｃｍ用の２種類のガイド部が必要となる。カートリッジも載置できるトレイの場合は、さらに別のガイド部が必要になる。この場合、四角形状で１２ｃｍベアディスクよりも外形寸法が大きいカートリッジは、凸状のガイド部分より上側に載置されることになる。
【０００６】
このように、カートリッジを凸状のガイド部分より上側に載置する場合は、カートリッジのトレイ表面から上側への延出寸法も大きくなるので、これに伴って、装置内においてトレイより上側の寸法も大きくする必要があり、装置が大型化するという問題があった。
【０００７】
本発明は前記のような従来の問題を解決するものであり、上下移動可能なディスクガイドを有するトレイを備えることにより、装置の小型化が図れるディスク装置を提供することを目的とする。
【０００８】
【課題を解決するための手段】
前記目的を達成するために、本発明のディスク装置は、記録又は再生が可能なディスクを載置するトレイを備えたディスク装置であって、前記トレイは、前記ディスクが載置される側の載置面と、前記載置面と対向する裏面と、載置したディスクの中心孔に対応する位置に形成された前記載置面と前記裏面とを貫通する貫通孔と、前記載置面に載置する直径が異なる複数種類のディスクに対し平行方向の位置をそれぞれ規制する面方向位置規制部を有する複数のディスクガイドとを備え、前記面方向位置規制部は、前記複数種類のディスクのうち最小のディスクの面方向を位置規制する前記ディスクガイドの前記貫通孔側の内壁と、前記複数種類のディスクのうち最大径のディスクの面方向を位置規制する前記ディスクガイドに設けた凸部とで構成し、前記複数のディスクガイドそれぞれは、前記貫通孔の中心軸から放射状に延在し、前記裏面に備える回動軸を介して２分割されると共に、付勢力によって前記最大径のディスクの前記載置面に対し直交方向に位置規制すべく前記載置面側に突出形成し、前記凸部に直交方向に力を印可すると前記回動軸周りに前記２分割されたディスクガイドが前記載置面より前記裏面側に埋没することを特徴とする。前記のようなディスク装置によれば、ディスクが収納されたカートリッジのように幅、厚さ共に大きいディスクを載置した場合、ディスクガイドの下方への沈み込みにより、トレイ表面からの上側への延出寸法を抑えることができる。このため、トレイ表面からのディスク延出による装置内の寸法を抑えることができるので、装置の小型化になる。
前記本発明のディスク装置においては、前記凸部は、ディスクを収納するカートリッジ下面に当接し、前記回動軸周りに前記載置面と略同一面まで回動することが好ましい。
また、前記トレイはガイド部を介して下側トレイにガイドされ、前記最大径のディスクまたは前記カートリッジを前記載置面から取り出す際に、前記載置面に対し持ち上げた状態で固定する突出部材を前記下側トレイに備えることが好ましい。
また、前記ディスクガイドは軸を介して前記トレイに係合しており、前記軸の設置方向は前記トレイに載置されるディスクの略径方向であることが好ましい。
【０００９】
また、前記ディスクガイドを複数個有し、前記複数個のディスクガイドのそれぞれの位置関係は前記貫通孔の中心に関して略対称または前記貫通孔を含む平面に関して略対称の何れかの位置関係であることが好ましい。
【００１０】
また、前記トレイは、ディスクを収納可能できるカートリッジの載置が可能であり、前記カートリッジが載置された状態においては、前記カートリッジは前記ディスクガイド上に載置され、かつ前記凸部は前記トレイ基材表面と略同一面まで沈み込むことが好ましい。前記のようなディスク装置によれば、厚さの大きいカートリッジをトレイの載置した場合であっても、ディスクガイドの沈み込みにより、トレイ表面からのカートリッジの延出寸法を抑えることができる。
【００１１】
また、前記凸部と前記軸との間の前記軸に対する直交方向の距離は前記内壁部と前記軸との間の前記軸に対する直交方向の距離よりも長いことが好ましい。前記のようなディスク装置によれば、ディスクガイドのトレイ表面からの沈み込み量を抑えることができるので装置の小型化になる。
【００１２】
また、前記トレイに載置されたディスクを取り出す際に、前記ディスクガイドを前記トレイ表面に対して持ち上げた状態で固定する突出部材を備えることが好ましい。前記のようなディスク装置によれば、ディスクをトレイから取り出す際において、ディスクが上側に持ち上がっているので、ディスクの取り出しが容易になる。
【００１３】
また、前記トレイに載置された前記カートリッジを取り出す際に、前記カートリッジを取り出す方向に押し出すレバーを備えることが好ましい。前記のようなディスク装置によれば、ディスクの取り出しがさらに容易になる。
【００１４】
【発明の実施の形態】
以下、本発明の一実施形態について、図面を参照しながら説明する。図１は、本発明の一実施形態に係るＤＶＤ用のディスク装置の斜視図を示している。本図では、ディスク装置１の外装部分の図示は省略しており、外装部分を取り外した内部の主要部を示している。実際には、複数枚のディスクを収納できるディスク収納部や、このディスク収納部へディスクの出し入れを行うためのディスク搬送機構等があるが、これらの図示は省略している。
【００１５】
図１に示した状態では、下側トレイ２は、イジェクト機構により、矢印ａ方向に押し出されている。この状態でディスクのセットが可能になり、本図では、すでに直径８ｃｍのベアディスク４がセットされている。このようなベアディスク４のセットは、下側トレイ２に保持されているトレイ３上にベアディスク４を載置することにより行われている。
【００１６】
図２は、トレイ３の斜視図であり、トレイ３を下側トレイ２から取り外した状態を示している。トレイ３の左右の両端部にはフランジ状のガイド部３ｂが形成されている。また、ディスクを載置した場合におけるディスク中心孔に対応する貫通孔２３が形成されている。図１のように、トレイ３を下側トレイ２に保持した状態においては、このガイド部３ｂは、下側トレイ２の左右の両端部に形成された溝に差し込まれている。トレイ３は、直径の異なる２種類のベアディスクを載置可能であり、本実施形態御では直径８ｃｍ、１２ｃｍのベアディスクを載置でき、さらに、カートリッジも載置可能である。
【００１７】
トレイ３の左右には、それぞれ可動部材であるディスクガイド５が形成されている。ディスクガイド５は、貫通孔２３の中心すなわち載置されたディスクの中心孔を挟んで対称となるように形成されている。また、各ディスクガイド５は２分割されており、この２分割された各ディスクガイド５の双方に挿通した軸６（図６）を介して双方が接合している。これら２分割された各ディスクガイド５は、軸６を中心として回動可能である。軸６の軸方向はトレイ３に載置したディスクの略径方向である。また、ディスクガイド５には、軸６に挿通したばねによるばね圧が付勢されている。このため、ディスクガイド５に上側から力を印加すれば、ディスクガイド５は下側に沈み込み、力を解除すれば、ばね圧により再び元の位置に戻る。
【００１８】
ディスクガイド５は、ディスク面に対して直交方向の位置規制の役割を果たすとともに、ベアディスクの平面方向の位置規制の役割を果たす。ディスクガイド５は、直径の異なる２種類のベアディスクの位置規制が可能であり、本実施形態では、直径８ｃｍ、１２ｃｍのベアディスクの双方の位置規制を行うことができる。図２に示した１点鎖線７が直径８ｃｍのベアディスクの外周部分を示し、１点鎖線８が直径１２ｃｍのベアディスクの外周部分を示している。
【００１９】
図３は、直径８ｃｍのベアディスクの載置状態を示した斜視図である。図６（ａ）は、図３のI−I線における断面図である。図３、図６（ａ）から分かるように、８ｃｍディスク４は、ディスクガイド５の内側部分である端面５ａで位置規制が行われている。すなわち、８ｃｍディスク４は、ディスクガイド５上には載置されておらず、トレイ３の面３ａ上に、突起９（図２）を介して載置されていることになる。
【００２０】
突起９は、ディスクを載置した状態において、ディスクの記録再生面より内側の面に当接するように配置されている。このため、８ｃｍディスク４を、突起９を介してトレイ３上に載置した状態においては、記録再生面には何も当接していない状態となる。
【００２１】
これに対して、図４は直径１２ｃｍのベアディスクを載置した状態の斜視図を示しており、図６（ｂ）は、図４のII−II線における断面図である。図４及び図図６（ｂ）から分かるように、１２ｃｍディスク１０は、ディスクガイド５上に載置されており、ディスクガイド５上に形成された凸状部の端面５ｂで、平面方向の位置規制が行われている。
【００２２】
この載置状態において、１２ｃｍディスク１０の裏面は、ディスクガイド５の外側部に形成された平面部５ｃ（図２、３）と当接しているが、他の部分とは接触していない。平面部５ｃは、ディスク１０の記録再生面より外側、すなわちディスク１０の外周部近傍に当接するように位置、大きさが設定されている。このため、ディスク載置状態においては、ディスク１０の記録再生面には何も当接しない状態が保たれる。
【００２３】
なお、ディスクガイド５に対するばねの付勢力は、ベアディスクが載置されときでも沈まないような力とするのが望ましい。しかしながら、載置者がディスクを無理に押し付けたり、ディスクに大きな衝撃が加わると、１２ｃｍディスク１０の下面が突起９に当接するまで沈み込むことになる。
【００２４】
ここで、ディスクガイド５に何も載置されていない状態においては、平面部５ｃは軸６の中心線に対して上側に位置し、かつ軸６から平面部５ｃまでの間には平面部５ｃより高い構成物がない。このため、ディスクガイド５が軸６を中心に回動し下方に沈みこんでも、ディスクの記録再生面にディスクガイド５自体が当接することはない。すなわち、ディスクガイド５の回動する角度に関係なく、ディスクの記録再生面には何も当接しない状態が常に保たれることになる。
【００２５】
本実施形態に係るトレイ３は、カートリッジの載置も可能である。図５はカートリッジ１１を載置した状態の斜視図を示しており、図６（ｃ）は、図５のIII−III線における断面図である。便宜上、カートリッジ１１については断面図ではなく、側面図の状態で図示している。また、ディスクガイド５の全体が分かるように、トレイ３の断面の一部は、図示を省略している。
【００２６】
カートリッジ１１のトレイ３への載置は、カートリッジ１１をディスクガイド５に乗せて行われる。図６（ｃ）に示したように、カートリッジ１１の載置によりカートリッジ１１の自重がディスクガイド５に加わり、ディスクガイド５は軸６を中心として回動し、ディスクガイド５は下側に沈み込んでいる。
【００２７】
この状態では、カートリッジ１１下面の左右の両端部は、トレイ３の左右の両端部に形成された載置面２２（図１）上に載置されていることになる。このように両端部で載置を行っているのは、カートリッジ１１の反り等の影響による載置状態のばらつきを避けるためである。また、載置面２２の高さは、突起９より高い位置としているので、カートリッジ１１が突起９に当接することはない。
【００２８】
本実施形態では、トレイ表面３ａに突起９が形成されているので、図６（ａ）に示した寸法Ａは、突起９の高さにディスク４の厚みを加えた寸法になる。また、図６（ｃ）に示した寸法Ｃは、突起９の高さにカートリッジ１１の厚みを加えた寸法より少し大きくなる。
【００２９】
しかしながら、ディスクガイド５は沈み込んでいるので、寸法Ｃはディスクを載置していない無負荷状態のディスクガイド５の高さにカートリッジ１１の厚みを加えた寸法より必ず小さくなる。また、ディスクガイド５のトレイ表面３ａからの寸法を、無負荷状態において、カートリッジ１１の厚さより小さくしておけば、図６（ｂ）に示した寸法Ｂについても、寸法Ｃを超えることはない。
【００３０】
また、図６（ｂ）に示したように、ディスクガイド５が回動していないか、又はほとんど回動していない状態においては、ディスクガイド５の下側面５ｄとトレイ３の面３ａとの間には垂直方向に空間２４が形成されている。このような空間２４が形成されるのは、下側面５ｄが軸６から軸６と直交する方向に遠ざかる（矢印ｂ方向）につれて、上側に傾斜するように形成されているためである。
【００３１】
なお、このように空間２４を大きくしながらトレイ３を薄く構成できるのは、軸６に対する端面５ａの距離（６−５ａ）が、軸６に対する端面５ｂの距離（６−５ｂ）よりも小さくなっているためである。
【００３２】
一方、８ｃｍディスク４と１２ｃｍディスク１０とが載置できる構成には、それぞれのディスクの面方向の位置を規制する端面５ａは端面５ｂの内周側に設け、しかも端面５ａ部のトレイ３表面からの高さは端面５ｂ部のトレイ３表面の高さ未満にする必要が有る。
【００３３】
そこで逆に距離（６−５ａ）を距離（６−５ｂ）より長くし、８ｃｍディスク４と１２ｃｍディスク１０とを面方向の面方向及び高さ方向の位置規制を達成するためには、端面５ａのトレイ３表面からの高さ（５ａ−３）を平面部５ｃのトレイ表面からの高さ（５ｃ−３）よりも低くすることが要請される。
【００３４】
高さ（５ａ−３）を低くすると、端面５ａのトレイ３表面からの突出量が減少し、８ｃｍディスク４と端面５ａとの当接の余裕度が低下し、極端な場合には８ｃｍディスク４がディスクガイド５上に乗り上げ、８ｃｍディスクガイドとしての機能がなくなる。
【００３５】
また、軸６との距離が長い方が軸回動による変動距離が大きくなるため、端面５ａのトレイ３に直交方向の厚みを薄くしなければ、ディスクガイド５が埋没した状態で、トレイ３の裏面側に端面５ａが突出し、トレイ３の薄型化が達成できない。したがって、トレイ３の薄型化を達成するためには、端面５ａのトレイ３に直交方向の厚みを薄くする必要がある。ところが、端面５ａの厚みを薄くすると、ディスクガイド６が埋没していない状態ではトレイ３表面と端面５ａとの間に空隙が生じ、８ｃｍディスク４の面方向の位置規制ができないというディスクガイドとしての機能が損なわれる。
【００３６】
このため、図６（ｃ）に示したように、ディスクガイド５が沈み切った状態においては、下側面５ｄはほぼ水平状態になっており、沈み込み量Ｃ１を最小限に抑えることができる。この場合、沈み込み量Ｃ１は、図６（ｂ）に示したディスクガイド５の飛び出し量Ｂよりも小さくすることができる。
【００３７】
これに対して、図６（ｂ）の状態において、下側面が２点鎖線２５のように形成されている場合は、ディスクガイド５が沈み切った状態においては、図６（ｃ）に示したように、沈み込み量はＣ１に比べ大きくなってしまう。
【００３８】
また、ディスクガイド５が回動を伴わずに単に上下移動するのみであれば、面３ａ上での沈み込み量がそのまま寸法Ｃ１に反映されるので、寸法Ｃ１を寸法Ｂより小さくすることができず、装置の小型化の点で不利になる。
【００３９】
このように、本実施形態では、いずれのディスクを載置した場合でも、トレイ表面３ａから上側への延出寸法は、図６（ｃ）に示した寸法Ｃ以内に収まることになる。すなわち、本実施形態ではトレイにディスクを載置した場合の高さ寸法を最小限に抑えることができ、装置全体の薄型化も可能になる。
【００４０】
なお、図１に示した実施形態では、トレイ３は下側トレイ２上に載置されている。この場合、図６（ｃ）に示したディスクガイド５の下側への延出寸法Ｃ１は、下側トレイ２の深さ寸法内に収まるので、延出寸法Ｃ１が下側トレイ２の厚さに影響を与えることはない。
【００４１】
前記のように、トレイ３は、ベアディスクに加えてカートリッジを載置できることになるが、カートリッジを載置した場合は、カートリッジはトレイ３のほぼ全面を覆うことになる。このため、ベアディスクに比べ、カートリッジはトレイ３からの取り出し性が悪くなる。このため、トレイ３は以下に示すようなアシスト機構を備えていることが好ましい。
【００４２】
図７（ａ）は、トレイ３が装置内に収納されている状態における前後方向の断面図を示している。カートリッジ１１はトレイ３上に載置されており、カートリッジ１１の自重によりディスクガイド５は、下側トレイ２側に沈み込んでいる。外側面１ａは、装置の前面を示している。１３はカバー示しており、カバー１３上にさらに別の構成部品が形成される。
【００４３】
図７（ｂ）は、イジェクト機構により、下側トレイ２が押し出された状態を示している。トレイ２は矢印ｂ方向に移動し、外側面１ａに対して飛び出している。トレイ２の移動に伴い、ガイド部材１４も矢印ｂ方向に移動する。ガイド部材１４はストッパー１５に当接した以後は、移動は停止する。
【００４４】
この場合、トレイ２はさらに矢印ａ方向に移動するので、ガイド部材１４に形成されている突起１６は、図７（ａ）に示したように、ディスクガイド５の下側に入り込むことになる。このことにより、ディスクガイド５は、軸６を中心として上側に回動し、カートリッジ１１は上側に押し上げられる。
【００４５】
また、トレイ２の矢印ａ方向の移動に伴い、ラックギア１７とギア１８とがかみ合うことになる。このため、ギア１８とかみ合っているギア１９、ギア１９とかみ合っているギア２０がそれぞれ回転し、ギア２０と一体のレバー２１は、矢印ｃ方向に回動する。このことにより、図７（ｂ）に示したように、カートリッジ１１は、レバー２１によって、前側に押し出されることになる。
【００４６】
図８（ｃ）は、トレイ２のイジェクト完了の状態を示している。本図に示した状態では、ギア２０はギア１９から外れており、かみ合いが解除されている。この状態では、カートリッジ１１は、上側に持ち上げられ、かつ前方に押し出されているのでトレイ３から容易に取り出せることになる。
【００４７】
図８（ｄ）は、ディスクの載置されていないトレイ３に、新たにカートリッジ１１を載置し始めた状態を示している。カートリッジ１１の当接により、レバー２１は矢印ｄ方向に回動しており、このときのレバー２１の位置を検知して、電動ローディングを開始することができる。この電動ローディングにより、トレイ２は、図７（ａ）、（ｂ）で説明した動きとは逆の動きをして、装置内に入り込むことになる。
【００４８】
以下、本実施形態に係るディスクトレイを用いたディスク装置において、ディスクトレイによるディスク搬送の一部について、図１、９〜１０を用いて説明する。これら各図に示したディク装置は、説明に必要な主要部を中心に図示し、部分的に図示を省略している。
【００４９】
図１は、８ｃｍベアディスク４を装置へセットした直後の状態の斜視図を示している。イジェクト機構により押し出されたディスクトレイ２にベアディスク４が載置されている。図９は、８ｃｍベアディスクを載置したディスクトレイ２が装置内部へ入った状態を示している。本図に示した状態では、ベアディスク４の記録再生が可能であり、モータ軸１２の回転によりベアディスク４は回転する。
【００５０】
図１０は、ベアディスク４をディスク昇降部まで搬送した状態を示している。このディスク昇降部において、トレイに載置されたディスクが所定の高さまで搬送される。
【００５１】
以上、８ｃｍベアディスク４の例で説明したが、１２ｃｍベアディスク、カートリッジの場合でも同様である。本実施形態では、ディスクをトレイ３に載置した場合の厚みを最小限に抑えることができるので、これに伴い図１に示したような装置１の各部の寸法も抑えることができる。例えば、ディスクをトレイ３に載置した状態で、記録再生の待機のために装置内に収納しておく場合、この収納部の寸法を抑えることができる。この場合、この収納枚数が増えるほど効果が大きくなる。
【００５２】
なお、本実施形態が適用できる装置は、ディスクが載置されるトレイを備えておればよく、ディスク自体はＤＶＤ−ＲＡＭでも、ＤＶＤ−ＲＷ、ＤＶＤ−ＲＯＭ、ＤＶＤ―ＶＩＤＥＯ、ＤＶＤ−Ｒ、ＣＤ−ＡＵＤＩＯ、ＣＤ−ＲＯＭ、ＣＤ−Ｒ、ＣＤ−ＲＷ、ＰＤ、ＭＯ、ＭＤでもよい。また、カートリッジはディスクを収納していなくてもよい、たとえば、ＤＶＤ−ＲＡＭカートリッジに収納されていたディスクが抜かられたものでもよい。
【００５３】
【発明の効果】
以上のように、本発明によれば、ディスクの平面方向の位置を規制するディスクガイドを上下方向に可動可能な構成とすることにより、ディスクが収納されたカートリッジのように幅、厚さ共に大きいディスクを載置した場合、ディスクガイドの下方への沈み込みにより、トレイ表面からの上側への延出寸法を抑えることができる。このため、トレイ表面からのディスク延出による装置内の寸法を抑えることができるので、装置の小型化になる。
【図面の簡単な説明】
【図１】本発明の一実施形態に係るディスク装置においてベアディスクをセットした状態を示す斜視図
【図２】本発明の一実施形態に係るトレイの斜視図
【図３】本発明の一実施形態に係るトレイにベアディスクを載置した状態の斜視図
【図４】本発明の一実施形態に係るトレイに別のベアディスクを載置した状態の斜視図
【図５】本発明の一実施形態に係るトレイにカートリッジを載置した状態の斜視図
【図６】（ａ）図３のI−I線における断面図
（ｂ）図４のII−II線における断面図
（ｃ）図５のIII−III線における断面図
【図７】（ａ）本発明の一実施形態に係るディスク装置において、トレイ３が装置内に収納されている状態における前後方向の断面図
（ｂ）下側トレイ２が押し出された状態を示す断面図
【図８】
（ｃ）トレイ２のイジェクト完了の状態を示す断面図
（ｄ）トレイ３に新たにカートリッジ１１を載置した状態を示す断面図
【図９】本発明の一実施形態に係るディスク装置においてベアディスクをモータ軸にセットした状態を示す斜視図
【図１０】本発明の一実施形態に係るディスク装置においてベアディスクをディスク昇降部まで搬送した状態を示す斜視図
【符号の説明】
１  ディスク装置
２  下側トレイ
３  トレイ
３ａ  トレイ表面
４  ８ｃｍベアディスク
５  ディスクガイド
５ａ，５ｂ  端面
５ｃ  平面部
６  軸
９  突起
１０  １２ｃｍベアディスク
１１  カートリッジ
１４  ガイド部材
２３  貫通孔
【図１】
0003710688.tif 000002
【図２】
0003710688.tif 000003
【図３】
0003710688.tif 000004
【図４】
0003710688.tif 000005
【図５】
0003710688.tif 000006
【図６】
0003710688.tif 000007
【図７】
0003710688.tif 000008
【図８】
0003710688.tif 000009
【図９】
0003710688.tif 000010
【図１０】
0003710688.tif 000011